(57)【要約】【課題】回転体をスムーズに回転させることが可能な遊技機の提供を目的とする。【解決手段】本発明に係る遊技機１０では、回転シャフト８８Ｓに固定されたギア８８が、ブロック８５に備えた内歯歯車８９Ｇと噛合している。そして、回転シャフト８８Ｓが回転駆動されてギア８８が回転シャフト８８Ｓと一体回転すると、ブロック８５が回転する。また、遊技機１０には、内歯歯車８９Ｇに内側から摺接してブロック８５を支持する支持部材１２１が備えられている。【選択図】図１１
2018201975.tif 000002
【特許請求の範囲】
【請求項１】
回転駆動される回転シャフトと、
前記回転シャフトと一体に回転する駆動ギアと、
前記駆動ギアと噛合する内歯歯車を備えた回転体と、を有する遊技機であって、
前記回転体を支持する支持部材を有する遊技機。
【発明の詳細な説明】
【技術分野】
【０００１】
本発明は、遊技機に関する。
【背景技術】
【０００２】
特許文献１に開示の遊技機では、内歯歯車と噛み合う複数のギアから該内歯歯車を備える回転体に回転力が伝達される。
【先行技術文献】
【特許文献】
【０００３】
【特許文献１】特開２０１５−２０４９２０号（段落［０６０２］〜［０６０４］、図８９，９０）
【発明の概要】
【発明が解決しようとする課題】
【０００４】
特許文献１の遊技機では、複数のギアの回転にムラが生じ、回転体をスムーズに回転させることが困難であった。
【０００５】
本発明は、上記事情に鑑みてなされたもので、回転体をスムーズに回転させることが可能な遊技機の提供を目的とする。
【課題を解決するための手段】
【０００６】
第１の手段は、回転駆動される回転シャフトと、前記回転シャフトと一体に回転する駆動ギアと、前記駆動ギアと噛合する内歯歯車を備えた回転体と、を有する遊技機であって、前記回転体を支持する支持部材を有する遊技機である。
【発明の効果】
【０００７】
上記発明によれば、回転体をスムーズに回転させることが可能となる。
【図面の簡単な説明】
【０００８】
【図１】本発明の一実施形態に係る遊技機の正面図
【図２】遊技盤の正面図
【図３】第１可動部と第２可動部が待機位置に配置された状態の遊技盤の正面図
【図４】可動役物ユニットが取り付けられた機構枠の正面図
【図５】可動役物ユニットの斜視図
【図６】（Ａ）可動ベースが第１回転位置に配置されたときの可動役物ユニットの正面図、（Ｂ）可動ベースが第２回転位置に配置されたときの可動役物ユニットの正面図
【図７】直動駆動機構の概略構成図
【図８】可動演出部の斜視図
【図９】（Ａ）第１透光壁が前側を向くように配置されたブロックの断面図、（Ｂ）第２透光壁が前側を向くように配置されたブロックの断面図
【図１０】遊技機の電気的構成を示すブロック図
【図１１】回転体を構成するブロックの分解斜視図
【図１２】図１１に示すブロックの隣に配置されるブロックの分解斜視図
【図１３】第２止め輪、ギア及び中間スリーブの斜視図
【図１４】ギア、空転ギア及び支持部材の断面図
【図１５】支持部材の別の例を示す断面図
【発明を実施するための形態】
【０００９】
図１に示されるように、本実施形態の遊技機１０は、パチンコ遊技機であって、前面枠１０Ｚを前面に備え、その前面枠１０Ｚに形成されたガラス窓１０Ｗを通して、図２に示す遊技盤１１の前面に形成された遊技領域Ｒ１が視認可能になっている。
【００１０】
前面枠１０Ｚのうちガラス窓１０Ｗより下方には、上皿２６と下皿２７が上下２段にして設けられ、下皿２７の右側には、発射ハンドル２８が備えられている。そして、発射ハンドル２８が回動操作されると、上皿２６に収容された遊技球が遊技領域Ｒ１（図２）に向けて弾き出される。
【００１１】
図２に示されるように、遊技領域Ｒ１は全体が略円形状となっていて、ガイドレール１２により囲まれている。遊技盤１１のうち遊技領域Ｒ１の中央には、表示開口１１Ｈが貫通形成され、この表示開口１１Ｈを通して、表示装置１３の表示画面１３Ｇが前方に臨んでいる。なお、表示装置１３の表示画面１３Ｇには、遊技に関する種々の演出が表示される。
【００１２】
表示開口１１Ｈの開口縁には、表示装飾枠２３が取り付けられている。詳細には、表示装飾枠２３は、遊技盤１１の前面側から表示開口１１Ｈに嵌め込まれて遊技盤１１の前面から突出し、遊技領域Ｒ１を流下する遊技球が表示装飾枠２３の内側に進入することを規制している。
【００１３】
表示装飾枠２３の内側の開口部は、横長略矩形状に形成されていて、表示装飾枠２３の下辺部には、遊技球が転動可能なステージ２４が形成されている。また、表示装飾枠２３の側部には、遊技領域Ｒ１を流下する遊技球を受け入れてステージ２４へと誘導するワープ路２４Ｒが形成されている。
【００１４】
表示装飾枠２３の下側には、第１と第２の始動入賞口１４Ａ，１４Ｂが上下に並べて設けられている。表示装飾枠２３の右側には、始動ゲート１８が備えられている。表示装飾枠２３の右下側、即ち、第１と第２の始動入賞口１４Ａ，１４Ｂの右側には、大入賞口１５が設けられている。また、遊技領域Ｒ１には、始動入賞口１４Ａ，１４Ｂ及び大入賞口１５のほかに、複数の一般入賞口２０が備えられている。
【００１５】
一般入賞口２０は、遊技球が１つずつ入ることが可能な大きさで上方又は側方に開口している。一般入賞口２０へ遊技球が入球（入賞）すると、その遊技球は遊技盤１１の後側に取り込まれ、例えば、１個の入球につき１５個の賞球が上皿２６に払い出される。
【００１６】
始動ゲート１８は、遊技球が潜って通過可能な門形構造をなしている。始動ゲート１８を遊技球が通過すると、普通図柄当否判定が行われる。普通図柄当否判定の結果は、普通図柄用表示部１８Ｈに表示される。
【００１７】
第１の始動入賞口１４Ａは、ポケット構造に形成され、遊技球が１つずつ入ることが可能な大きさで上方に開口している。第２の始動入賞口１４Ｂは、遊技球が１つずつ入ることが可能な大きさで前方に開口し、通常は、開閉扉１４Ｔにて前方が閉塞されることで、遊技球の入球（入賞）が規制されている。開閉扉１４Ｔは、上述した普通図柄当否判定の結果が当りとなったときに、下端部を中心に回動して所定時間だけ前側に倒される。すると、開閉扉１４Ｔに受け止められた遊技球が第２の始動入賞口１４Ｂに入球可能となる。
【００１８】
始動入賞口１４Ａ，１４Ｂに遊技球が入球（入賞）すると、所定個数の賞球が上皿２６に払い出されると共に、特別図柄当否判定が行われる。特別図柄当否判定の結果は、特別図柄用表示部１４Ｈに表示されると共に、表示装置１３の表示画面１３Ｇに表示される。そして、特別図柄当否判定の結果が当りであると、大当り遊技が実行される。なお、表示画面１３Ｇにおいては、例えば、数字や文字等で構成される図柄の変動、停止が行われ、停止した図柄の組合せによって特別図柄当否判定の結果が表示される。
【００１９】
大入賞口１５は、横長矩形状をなし、通常の遊技状態では、可動扉１５Ｔにて閉塞されている。上述の大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、所定個数の賞球が上皿２６に払い出される。
【００２０】
上述した各入賞口１４Ａ，１４Ｂ，１５，２０の何れにも入賞しなかった遊技球は、遊技領域Ｒ１の下端部に設けられたアウト口１６に全て取り込まれる。アウト口１６に取り込まれた遊技球は、図示しない球回収装置に回収される。
【００２１】
遊技盤１１の裏側には、図４に示される機構枠１７が備えられている。そして、この機構枠１７に、可動役物ユニット４０を含む種々の部品が固定されている。なお、機構枠１７の内側の開口部１７Ａは、遊技盤１１の表示開口１１Ｈ（図２参照）に重ねられて、表示装置１３の表示画面１３Ｇを視認可能とする。
【００２２】
図４，５に示されるように、可動役物ユニット４０は、固定ベース４１と、可動ベース５１と、を備えている。固定ベース４１は、略円形の開口部４１Ａを内側に有する枠状に形成され、機構枠１７に前側から重ねて固定されている。可動ベース５１は、略円形状をなして、固定ベース４１の開口部４１Ａの内側に嵌め込まれ、固定ベース４１に対して回転可能に構成されている。なお、本実施形態では、固定ベース４１及び可動ベース５１は無色透明に形成され、固定ベース４１及び可動ベース５１を通して表示画面１３Ｇを視認可能に構成されている。
【００２３】
具体的には、可動ベース５１の外周面の一部には、外歯５１Ｇが形成されている。図６（Ａ）に示されるように、可動ベース５１の外歯５１Ｇには、固定ベース４１に回転可能に支持された駆動ギア４２が噛み合っている。駆動ギア４２は、固定ベース４１に備えられたベース駆動源４３（図５参照）によって駆動される。
【００２４】
可動ベース５１は、通常は、図６（Ａ）に示される第１回転位置に配置され、駆動ギア４２の駆動によって、第１回転位置と図６（Ｂ）に示される第２回転位置との間を移動する。第２回転位置は、正面から見て第１回転位置に対して時計方向に約９０度ずれている。ここで、可動ベース５１の中央部には、矩形状の窓部５１Ａが形成されていて、可動ベース５１が第１回転位置又は第２回転位置に配置されると、該窓部５１Ａが表示画面１３Ｇ（図２参照）の中央部と重なる。
【００２５】
図５に示されるように、可動ベース５１には、窓部５１Ａを挟んで対向配置される第１可動部６１及び第２可動部６２と、第１可動部６１及び第２可動部６２をその対向方向に接近、離間させる直動駆動機構７０と、が搭載されている。なお、第１可動部６１と第２可動部６２は、通常は、その対向方向で最も離れる待機位置に配置され（図３参照）、直動駆動機構７０によって、最も近接する合体位置に配置される（図２参照）。
【００２６】
第１可動部６１と第２可動部６２のそれぞれには、対向方向の内側に配置される内側可動体６１Ａ，６２Ａと、対向方向の外側に配置される外側可動体６１Ｂ，６２Ｂと、が備えられている。なお、可動ベース５１が第１回転位置に配置されたとき、第１可動部６１と第２可動部６２は上下方向に対向し、第１可動部６１が第２可動部６２に対して上側に配置される（図６（Ａ））。また、可動ベース５１が第２回転位置に配置されたとき、第１可動部６１と第２可動部６２は左右方向に対向し、第１可動部６１が第２可動部６２に対して右側に配置される（図６（Ｂ））。以下では、第１可動部６１の内側可動体６１Ａ、外側可動体６１Ｂを第１内側可動体６１Ａ、第１外側可動体６１Ｂと適宜称し、第２可動部６２の内側可動体６２Ａ、外側可動体６２Ｂを第２内側可動体６２Ａ、第２外側可動体６２Ｂと適宜称することとする。
【００２７】
図７に示されるように、第１可動部６１の各可動体６１Ａ，６１Ｂと第２可動部６２の各可動体６２Ａ，６２Ｂには、第１可動部６１と第２可動部６２の対向方向に延びる第１プレート部６４及び第２プレート部６５と、第１プレート部６４と第２プレート部６５の間に差し渡された可動演出部６３と、が設けられている。第１プレート部６４と第２プレート部６５は、可動ベース５１の窓部５１Ａを可動演出部６３の延在方向に挟むように配置される。なお、図７には、第１外側可動体６１Ｂと第２外側可動体６２Ｂのみが示されている。
【００２８】
第１可動部６１においては、可動演出部６３の延在方向の一方側に第１プレート部６４が配置され、他方側に第２プレート部６５が配置される。一方、第２可動部６２においては、可動演出部６３の延在方向の一方側に第２プレート部６５が配置され、他方側に第１プレート部６４が配置される。第１可動部６１と第２可動部６２の間では、第１プレート部６４と第２プレート部６５が突き合わされるように配置され、第１可動部６１と第２可動部６２が最も近接したときに、第１可動部６１の第１プレート部６４と第２可動部６２の第２プレート部６５が可動演出部６３の延在方向に並べられ、第１可動部６１の第２プレート部６５と第２可動部６２の第１プレート部６４が可動演出部６３の延在方向に並べられる。
【００２９】
また、第１可動部６１においては、第１内側可動体６１Ａの第１プレート部６４と第１外側可動体６１Ｂの第１プレート部６４が重ねられると共に、第１内側可動体６１Ａの第２プレート部６５と第１外側可動体６１Ｂの第２プレート部６５が重ねられる（図５参照）。同様に、第２可動部６２においては、第２内側可動体６２Ａの第１プレート部６４と第２外側可動体６２Ｂの第１プレート部６４が重ねられると共に、第２内側可動体６２Ａの第２プレート部６５と第２外側可動体６２Ｂの第２プレート部６５が重ねられる。
【００３０】
図７に示されるように、第１プレート部６４と第２プレート部６５には、その延在方向に延びる長孔６４Ｎ，６５Ｎが形成されている。長孔６４Ｎ，６５Ｎには、可動ベース５１に固定された支持軸部６６が挿通されていて、これにより、第１プレート部６４と第２プレート部６５は、それぞれの延在方向に直動可能となっている。また、第１プレート部６４の両側部には、ラック６４Ｒ，６４Ｒが形成され、第２プレート部６５のうち第１プレート部６４と反対側の部分には、ラック６５Ｒが形成されている。
【００３１】
図４，５，７に示されるように、直動駆動機構７０は、可動演出部６３の延在方向で可動ベース５１の窓部５１Ａを挟むように対をなして設けられている。各直動駆動機構７０には、第１内側可動体６１Ａと第２内側可動体６２Ａを駆動するための内側可動体用駆動源７１Ａと、第１外側可動体６１Ｂと第２外側可動体６２Ｂを駆動するための外側可動体用駆動源７１Ｂと、各駆動源７１Ａ，７１Ｂによって回転駆動される駆動ギア７２，７２（図７には、外側可動体用駆動源７１Ｂにより回転駆動される駆動ギア７２のみが示されている。）と、が備えられている。
【００３２】
図７に示されるように、駆動ギア７２は、第１プレート部６４のラック６４Ｒ，６４Ｒのうち第２プレート部６５と反対側に配されるラック６４Ｒと噛合する。詳細には、１対の直動駆動機構７０，７０のうち一方の直動駆動機構７０（図７では、右側の直動駆動機構７０）の駆動ギア７２は、第１可動部６１の各可動体６１Ａ，６１Ｂにおける第１プレート部６４のラック６４Ｒと噛合し、他方の直動駆動機構７０（図７では、左側の直動駆動機構７０）の駆動ギア７２は、第２可動部６２の各可動体６２Ａ，６２Ｂにおける第１プレート部６４のラック６４Ｒと噛合する。
【００３３】
また、一方の直動駆動機構７０には、第１可動部６１の第１プレート部６４と第２可動部６２の第２プレート部６５の間に挟まれて、該第１プレート部６４のラック６４Ｒと該第２プレート部６５のラック６５Ｒの両方と噛合する中継ギア７３が備えられている。他方の直動駆動機構７０には、第１可動部６１の第２プレート部６５と第２可動部６２の第１プレート部６４の間に挟まれて、該第１プレート部６４のラック６４Ｒと該第２プレート部６５のラック６５Ｒの両方と噛合する中継ギア７３が備えられている。
【００３４】
１対の直動駆動機構７０，７０において外側可動体用駆動源７１Ｂにより駆動ギア７２が回転駆動されると、図７の矢印に示されるように、第１外側可動体６１Ｂの第１プレート部６４と第２外側可動体６２Ｂの第１プレート部６４が長孔６４Ｎに沿って逆方向に移動する。なお、１対の直動駆動機構７０，７０において駆動ギア７２の回転方向は同じになっている。
【００３５】
第１外側可動体６１Ｂの第１プレート部６４が長孔６４Ｎに沿って移動すると、その移動に伴って中継ギア７３が回転し、第２外側可動体６２Ｂの第２プレート部６５が該第１プレート部６４と逆方向に移動する。ここで、第２外側可動体６２Ｂの第２プレート部６５の移動方向は、該可動体６２Ｂの第１プレート部６４の移動方向と同じになっているので、第２外側可動体６２Ｂは、２つの外側可動体用駆動源７１Ｂ，７１Ｂによって駆動されることになる。
【００３６】
また、第２外側可動体６２Ｂの第１プレート部６４が長孔６４Ｎに沿って移動すると、その移動に伴って中継ギア７３が回転し、第１外側可動体６１Ｂの第２プレート部６５が該第１プレート部６４と逆方向に移動する。ここで、第１外側可動体６１Ｂの第２プレート部６５の移動方向は、該可動体６１Ｂの第１プレート部６４の移動方向と同じになっているので、第１外側可動体６１Ｂは、２つの外側可動体用駆動源７１Ｂ，７１Ｂによって第２外側可動体６２Ｂと逆方向に駆動されることになる
【００３７】
第１内側可動体６１Ａと第２内側可動体６２Ａの駆動は、第１外側可動体６１Ｂと第２外側可動体６２Ｂの駆動と同様になっている。そして、直動駆動機構７０は、第１外側可動体６１Ｂと第２外側可動体６２Ｂの駆動と同様にして、第１内側可動体６１Ａと第２内側可動体６２Ａを逆方向に駆動する。
【００３８】
図５，８に示されるように、可動演出部６３は、角柱状の回転体８１と、回転体８１を軸方向に挟んで支持する１対の支持体８２，８２と、回転体８１の裏側に配置されて１対の支持体８２，８２を連絡する連絡部材８３と、を有している。一方の支持体８２には、回転体８１の中心軸８１Ｊ（図８参照）を中心にして回転体８１を回転させる回転駆動源８１Ｋが備えられている。なお、回転体８１は、複数のブロック８５を並べて構成され、連絡部材８３には、ブロック８５同士の間及びブロック８５と支持体８２の間を仕切る仕切り板８４が設けられている。
【００３９】
図９（Ａ）、９（Ｂ）に示されるように、回転体８１の各ブロック８５は、角筒体８６の内部に発光基板８７を備えた構造になっている。角筒体８６の両端は、円形開口８９Ａを有する端部壁８９によって閉塞され、円形開口８９Ａの内周面に内歯歯車８９Ｇが形成されている。端部壁８９は、仕切り板８４に回転可能に支持される。角筒体８６の内部には、内歯歯車８９Ｇと噛合するギア８８が備えられている。ギア８８は、回転体８１を貫通する回転シャフト８８Ｓに固定されている。回転シャフト８８Ｓは、仕切り板８４に支持され、回転駆動源８１Ｋによって回転駆動される。
【００４０】
発光基板８７には、複数の発光素子８７Ａが搭載されている。また、角筒体８６の周壁には、第１透光壁８６Ａと第２透光壁８６Ｂが設けられている。そして、第１透光壁８６Ａ又は第２透光壁８６Ｂが発光素子８７Ａに対向配置されると、発光素子８７Ａからの光が遊技者に認識されるようになる。ここで、第１透光壁８６Ａと第２透光壁８６Ｂは互いに対向配置されていて、通常は、第１透光壁８６Ａが発光素子８７Ａに対向配置されている（図９（Ａ））。回転体８１が回転して、第２透光壁８６Ｂが発光素子８７Ａに対向配置されると、第２透光壁８６Ｂを通して、発光素子８７Ａの光が遊技者に認識可能となる（図９（Ｂ））。
【００４１】
図１０には、遊技機１０の電気的な構成が示されている。同図において、符号１５０は、主制御回路１５０であって、ＣＰＵ１５０Ａ、ＲＡＭ１５０Ｂ、ＲＯＭ１５０Ｃ及び複数のカウンタを備えたマイクロコンピュータと、該マイクロコンピュータとサブ制御回路１５２を結ぶ入出力回路と、大入賞装置等が接続された中継回路及び払出制御回路等を結ぶ入出力回路とを備え、遊技に関わる主制御を行う。ＣＰＵ１５０Ａは、当否判定部、制御部、演算部、各種カウンタ、各種レジスタ、各種フラグ等を備え、演算制御を行う他、特別図柄当否判定や普通図柄当否判定に関する乱数等も生成し、制御信号をサブ制御回路１５２等へ出力（送信）可能に構成されている。ＲＡＭ１５０Ｂは、ＣＰＵ１５０Ａで生成される各種乱数値用の記憶領域、各種データを一時的に記憶する記憶領域やフラグ、ＣＰＵ５０Ａの作業領域を備える。ＲＯＭ１５０Ｃには、制御データ、特別図柄及び普通図柄の変動表示に関する図柄変動データ等が書き込まれている他、特別図柄当否判定及び普通図柄当否判定の判定値等が書き込まれている。
【００４２】
サブ制御回路１５２は、主制御回路１５０と同様に、ＣＰＵ１５２Ａ、ＲＡＭ１５２Ｂ、ＲＯＭ１５２Ｃ及び複数のカウンタを備えたマイクロコンピュータと、該マイクロコンピュータと主制御回路１５０を結ぶ入出力回路と、表示制御回路１５４、ランプ制御回路１５５、可動役物ユニット４０等を結ぶ入出力回路を備えている。ＣＰＵ１５２Ａは、制御部、演算部、各種カウンタ、各種レジスタ、各種フラグ等を備え、演算制御を行う他、制御信号を表示制御回路１５４、ランプ制御回路１５５、可動役物ユニット４０等へ出力（送信）可能に構成されている。ＲＡＭ１５２Ｂは、各種データの記憶領域とＣＰＵ１５２Ａによる作業領域を有している。ＲＯＭ１５２Ｃには、各種演出のデータ等が記憶されている。
【００４３】
サブ制御回路１５２は、可動役物ユニット４０のベース駆動源４３、内側可動体用駆動源７１Ａ、外側可動体用駆動源７１Ｂ、回転駆動源８１Ｋを制御することで、可動ベース５１と、第１可動部６１及び第２可動部６２の各可動体６１Ａ，６１Ｂ，６２Ａ，６２Ｂと、各可動体６１Ａ，６１Ｂ，６２Ａ，６２Ｂにおける回転体８１と、を駆動制御する。
【００４４】
表示制御回路１５４は、表示装置１３に設けられていて、ＣＰＵ１５４Ａ、ＲＡＭ１５４Ｂ及びＲＯＭ１５４Ｃを有している。ＣＰＵ１５４Ａは、サブ制御回路１５２からの制御信号に基づき、画像データをＲＯＭ１５４Ｃから取得し、その画像データに基づいて表示画面１３Ｇに画像を表示する。
【００４５】
ランプ制御回路１５５は、サブ制御回路１５２からの制御信号に基づいて、装飾ランプや可動役物ユニット４０の発光基板８７に実装された発光素子８７Ａ（図９（Ａ）参照）をオンオフ制御する。
【００４６】
＜ブロックの駆動機構の詳細＞
以下では、第１可動部６１と第２可動部６２の各可動体６１Ａ，６１Ｂ，６２Ａ，６２Ｂにおける回転体８１の駆動機構の詳細について説明する。上述したように、回転体８１は、複数のブロック８５で構成され、各ブロック８５の端部壁８９に形成された内歯歯車８９Ｇと噛合するギア８８が回転駆動されることで、各ブロック８５が回転する（図５，９（Ａ））。図１１に示されるように、各ブロック８５の内側には、２本の回転シャフト８８Ｓと１本の支持シャフト１２０が挿通されている。３本のシャフト８８Ｓ，８８Ｓ，１２０は、上述の仕切り板８４（図８参照）に支持されて、回転体８１の中心軸８１Ｊの周りに等間隔に配置されている（図１４参照）。詳細には、仕切り板８４には、１対の回転シャフト挿通孔８４Ａ，８４Ａと、支持シャフト挿通孔８４Ｂと、が形成されていて、回転シャフト挿通孔８４Ａに回転シャフト８８Ｓが挿通され、支持シャフト挿通孔８４Ｂに支持シャフト１２０が挿通されている。なお、仕切り板８４には、発光基板８７が挿通される基板挿通孔８４Ｋが設けられていて、複数のブロック８５の内側に、１枚の発光基板８７が配置されるようになっている。
【００４７】
図１１に示されるように、ギア８８は、２本の回転シャフト８８Ｓ，８８Ｓのうち一方の回転シャフト８８Ｓに止め輪９０を介して固定されている。ここで、ギア８８は、各ブロック８５の１対の端部壁８９，８９（図１１には、一方の端部壁８９のみが示されている。）に形成された内歯歯車８９Ｇ，８９Ｇと噛合するように、各ブロック８５に１対ずつ備えられている。そして、各ギア８８は、回転シャフト８８Ｓの軸方向で止め輪９０と仕切り板８４（図１１には、一方の仕切り板８４のみが示されている。）との間に挟まれている。
【００４８】
止め輪９０は、円環の周方向の一部が切除されたＣ状に形成されていて、回転シャフト８８Ｓの外周面において周方向に１８０度ずれた位置で回転シャフト８８Ｓを横切る方向に延びた１対の取付溝９０Ｍ，９０Ｍ（図１１には、一方の取付溝９０Ｍのみが示されている。）にＣ字の両端部を構成する係合端部９０Ｋ，９０Ｋが嵌り込むことで回転シャフト８８Ｓに固定されている。そして、止め輪９０の係合端部９０Ｋが取付溝９０Ｍの溝底部と当接することにより、止め輪９０が回転シャフト８８Ｓと一体に回転する。
【００４９】
各ブロック８５内に配設される２つの止め輪９０は、第１止め輪９１と第２止め輪９２で構成される。第１止め輪９１と第２止め輪９２は共に、Ｃ字の開口と反対側の部分に、ギア８８側へ突出する係合突起９０Ｔ（第２止め輪９２の係合突起９０Ｔについては、図１３を参照）を有している。ここで、ギア８８は、軸方向の一方側の部分（図１３の例では、ギア８８の下側部分）の外周部にのみ外歯８８Ｈが形成されていて、軸方向の他方側の部分を構成するベース部８８Ｂには、軸方向の他方側と径方向の外側とに開放した係合凹部８８Ａが形成されている。そして、止め輪９０の係合突起９０Ｔがギア８８の係合凹部８８Ａと係合することにより、ギア８８が止め輪９０（第１止め輪９１と第２止め輪９２）と一体に回転することが可能となっている。
【００５０】
図１３に示されるように、第２止め輪９２は、軸方向の中間位置に段差部９３を有し、段差部９３に対してギア８８に近い側の大径部９４と、段差部９３に対してギア８８から遠い側の小径部９５と、で構成されている。上述した係合突起９０Ｔは、大径部９４に備えられている。一方、第１止め輪９１は、段差部９３を有さず、軸方向の全体に亘って第２止め輪９２の大径部９４と略同径になっている（図１１）。
【００５１】
図１１に示されるように、ギア８８が取り付けられる回転シャフト８８Ｓには、第１止め輪９１と第２止め輪９２との間に挟まれる中間スリーブ１００が挿通されている。中間スリーブ１００は、円筒の一端部が拡径された構造をなし、円筒状のスリーブ本体１０１と、スリーブ本体１００より大径なキャップ部１０２と、を備えている。スリーブ本体１０１は、第２止め輪９２の小径部９５と略同径になっていて、キャップ部１０２は、第２止め輪９２の大径部９４と略同径となっている。そして、第２止め輪９２の小径部９５に、中間スリーブ１００のキャップ部１０２が被せられることで、第２止め輪９２の開きが抑制されている。なお、中間スリーブ１００は、第１止め輪９１と第２止め輪９２との間の間隔と略同じ長さに形成され、第１止め輪９１と第２止め輪９２に挟まれることで回転シャフト８８Ｓの軸方向の移動を規制されている。これにより、回転シャフト８８Ｓの軸方向におけるキャップ部１０２の移動も規制され、キャップ部１０２が第２止め輪９２の小径部９５から外れることが抑制されている。
【００５２】
図１１に示されるように、２本の回転シャフト８８Ｓ，８８Ｓのうち他方の回転シャフト８８Ｓには、空転ギア１１０が回転自在に取り付けられている。具体的には、他方の回転シャフト８８Ｓには、１対の空転ギア１１０，１１０が挿通されていて、各空転ギア１１０が、仕切り板８４に突き当てられて端部壁８９の内歯歯車８９Ｇと噛合する。１対の空転ギア１１０，１１０は、他方の回転シャフト８８Ｓに挿通された筒状スペーサー１１１によって位置決めされている。なお、空転ギア１１０は、ギア８８と同じ構造になっていて、軸方向の一方側の部分にのみ外歯１１０Ｈを有している。
【００５３】
図１１に示されるように、支持シャフト１２０には、支持部材１２１が挿通されている。支持部材１２１は、支持シャフト１２０が挿通されるスリーブ１２２の両端部から張出部１２３が側方に張り出した構造をなしている。スリーブ１２２の長さは、隣り合う２つの仕切り板８４の間隔とほぼ同じになっている。張出部１２３には、仕切り板８４に形成された係合孔８４Ｃと係合する係合突部１２３Ｔが設けられていて、この係合突部１２３Ｔが係合孔８４Ｃと係合することにより張出部１２３が仕切り板８４に固定されている。なお、詳細には、支持部材１２１は、支持シャフト１２０の軸方向で１対の分割体１２１Ａ，１２１Ａに分割可能となっている。張出部１２３は、１つの分割体１２１Ａ，１２１Ａのそれぞれに備えられていて、各分割体１２１Ａが仕切り板８４と係合する。
【００５４】
図１４に示されるように、張出部１２３は、ブロック８５の内歯歯車８９Ｇに内側から摺接可能となっている。具体的には、張出部１２３には、内歯歯車８９Ｇの複数の内歯の先端に内接する円弧面１２３Ｍが形成されている。
【００５５】
図１２には、図１１で示したブロック８５に隣接するブロック８５の内部構造が示されている。ここで、２本の回転シャフト８８Ｓ，８８Ｓのうち一方の回転シャフト８８Ｓを第１回転シャフト８８ＳＡと、他方の回転シャフト８８Ｓを第２回転シャフト８８ＳＢと、称することにすると、隣接する２つのブロック８５の間では、ギア８８の配置、及び、第１シャフト８８ＳＡと第２シャフト８８ＳＢの構造が異なっている。具体的には、図１１に示されるブロック８５においては、ギア８８が第１回転シャフト８８ＳＡに固定されていて、空転ギア１１０が第２回転シャフト８８ＳＢに回転自在に取り付けられている。一方、図１２に示されるブロック８５においては、ギア８８が第２回転シャフト８８ＳＢに固定され、空転ギア１１０が第１回転シャフト８８ＳＡに挿通されている。本実施形態では、第１回転シャフト８８ＳＡと第２回転シャフト８８ＳＢが互いに逆回転する。従って、本実施形態では、隣接する２つのブロック８５が互いに逆回転する。なお、図１４に示されるように、各ブロック８５においては、ギア８８からの動力を受けて該ブロック８５の内歯歯車８９Ｇが回転し、その内歯歯車８９Ｇから動力を受けて空転ギア１１０が回転する。空転ギア１１０の回転方向は、ギア８８の回転方向（ギア８８が固定されている回転シャフト８８Ｓの回転方向）と同じであって、空転ギア１１０が取り付けられている回転シャフト８８Ｓの回転方向とは逆になっている。
【００５６】
このように、本実施形態の遊技機１０では、内歯歯車８９Ｇに動力を伝達するギア８８が１つであるので、内歯歯車８９Ｇに動力を伝達するギア８８が複数である場合のように複数のギア８８の間で回転のバラつきが生じることがなくなり、ブロック８５をスムーズに回転させることが可能となる。また、本実施形態では、ブロック８５は、内歯歯車８９Ｇに内側から摺接する張出部１２３により支持されるので、ブロック８５の回転の安定化が図られる。しかも、張出部１２３には、内歯歯車８９Ｇにおける複数の内歯の先端に内接する円弧面１２３Ｍが形成されているので、張出部１２３が、ブロック８５の回転を妨げることが抑制される。
【００５７】
また、本実施形態では、支持部材１２１がブロック８５の内側を貫通する支持シャフト１２０に固定されているので、支持部材１２１（張出部１２３）の安定的な支持が図られると共に、支持部材１２１を支持する部材、即ち、支持シャフト１２０とブロック８５との干渉が避けられる。
【００５８】
また、本実施形態では、ブロック８５が、ギア８８と支持部材１２１と空転ギア１１０の３つの部材によって支持されるので、ブロック８５の支持の安定化が図られる。さらに、内歯歯車８９Ｇはブロック８５の１対の端部壁８９，８９に形成されていて、ブロック８５は１対のギア８８，８８によって２箇所で駆動されるので、ブロック８５を安定的に回転させることが可能となる。また、ブロック８５は１対の張出部１２３，１２３によって２箇所で支持されるので、ブロック８５をより安定的に支持することが可能となる。
【００５９】
また、本実施形態の遊技機１０では、中間スリーブ１００のキャップ部１０２が第２止め輪９２に被さることで第２止め輪９２の開きが抑制され、第２止め輪９２が回転シャフト８８Ｓから外れることが抑制される。しかも、キャップ部１０２は、スリーブ本体１０１と第１止め輪９１によって回転シャフト８８Ｓの軸方向に固定されるので、キャップ部１０２が第２止め輪９２から外れることが抑制されると共に、キャップ部１０２の組み付けが容易となる。さらに、スリーブ本体１０１は、第１止め輪９１とキャップ部１０２との間に挟まれる構成となっているので、簡易な構成によってキャップ部１０２の位置決めが可能となる。なお、本実施形態では、第２止め輪９２には、軸方向の一方側を縮径させる段差部９３が設けられていて、キャップ部１０２は、第２止め輪９２の小径部９５に被せられて段差部９３に突き当てられるので、第２止め輪９２に対してキャップ部１０２を位置決めし易くなる。
【００６０】
なお、本実施形態の別の形態としては、隣り合う２つのブロック８５が同じ方向に回転する構成であってもよい。その際、隣り合う２つのブロック８５の回転速度は、同じであってもよいし、異なっていてもよい。
【００６１】
また、本実施形態の別の形態としては、１つブロック８５内に配置される２つの止め輪９０が両方とも第２止め輪９２であってもよい。この場合、中間スリーブ１００を、両端部にキャップ部１０２を備える構成とすればよい。
【００６２】
また、本実施形態の別の形態としては、空転ギア１１０を備えない構成としてもよい。
【００６３】
また、本実施形態の別の形態としては、図１５に示されるように、支持部材１２１の張出部１２３が円形状であってもよい。
【００６４】
また、本実施形態の別の形態としては、１つのブロック８５内に複数の支持部材１２１が配置される構成であってもよい。
【００６５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００６６】
（１）上記実施形態では、本発明をパチンコ遊技機に適用した例を示したが、スロットマシンやアレンジボールに適用してもよい。
【００６７】
（２）上記実施形態では、可動ベース５１が固定ベース４１に対して回転する構成であったが、固定ベース４１に対して直動する構成であってもよい。この場合、第１可動部６１と第２可動部６２の移動方向は、可動ベース５１の移動方向と異なることが好ましい。
【００６８】
（３）上記実施形態において、可動ベース５１を備えずに、第１可動部６１と第２可動部６２が固定ベース４１に直接支持される構成であってもよい。
【００６９】
（４）上記実施形態では、第１可動部６１と第２可動部６２の各可動体６１Ａ，６１Ｂ，６２Ａ，６２Ｂは、表示画面１３Ｇに沿って直動する構成であったが、表示画面１３Ｇに沿って回動する構成であってもよい。
【００７０】
（４）上記実施形態において、第１可動部６１が、可動体を１つだけ備える構成としてもよいし、３つ以上備える構成としてもよい。また、第２可動部６２が、可動体を１つだけ備える構成としてもよいし、３つ以上備える構成としてもよい。
【００７１】
（５）上記実施形態において、可動ベース５１に直動駆動機構７０を備えずに、第１可動部６１と第２可動部６２の各可動体６１Ａ，６１Ｂ，６２Ａ，６２Ｂが表示画面１３Ｇに沿って移動しない構成としてもよい。
【００７２】
（６）上記実施形態において、ブロック８５が角筒体８６の代わりに、断面円形状又は断面多角形状の筒体を備える構成としてもよい。
【００７３】
［付記］
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００７４】
＜特徴Ａ群＞
以下の特徴Ａ群は、遊技機に関し、「特許文献Ａ（特開２０１５−２０４９２０号公報）の遊技機では、内歯歯車と噛み合う複数のギアから該内歯歯車を備える回転体に回転力が伝達される（同文献の段落［０６０２］〜［０６０４］、図８９，９０）。」という背景技術について、「特許文献Ａの遊技機では、複数のギアの回転にムラが生じ、回転体をスムーズに回転させることが困難であった。」という課題をもってなされたものである。
【００７５】
（特徴Ａ１）
回転駆動される駆動ギア（ギア８８）と、
前記駆動ギアと噛合する内歯歯車（内歯歯車８９Ｇ）を備えた回転体（ブロック８５）と、を有する遊技機（遊技機１０）であって、
前記回転体を支持する支持部材（支持部材１２１）を有する遊技機。
【００７６】
本特徴に示す構成によれば、回転体が支持部材により支持されるので、回転体の回転の安定化が図られる。これにより、内歯歯車に動力を伝達する駆動ギアを少なくして、回転体をスムーズに回転させることが可能となる。
【００７７】
（特徴Ａ２）
特徴Ａ１に記載の遊技機において、
前記支持部材は、前記内歯歯車に内側から摺接して、前記回転体を支持する摺接部（張出部１２３）を有する遊技機。
【００７８】
本特徴に示す構成では、支持部材によって回転体を内側から支持することが可能となるので、回転体をスムーズに回転させることが可能となる。
【００７９】
（特徴Ａ３）
特徴Ａ２に記載の遊技機において、
前記摺接部は、前記内歯歯車における複数の内歯の先端に内接する円弧面（円弧面１２３Ｍ）を有している遊技機。
【００８０】
本特徴に示す構成によれば、回転体をよりスムーズに回転させることが可能となる。
【００８１】
（特徴Ａ４）
特徴Ａ２又はＡ３に記載の遊技機において、
前記内歯歯車の内側を貫通する支持シャフト（支持シャフト１２０）を有し、
前記支持部材は、前記支持シャフトに固定されている遊技機。
【００８２】
本特徴に示す構成によれば、支持部材（摺接部）の安定的な支持が図られると共に、支持部材を支持する部材（支持シャフト）と回転体との干渉が避けられる。
【００８３】
（特徴Ａ５）
特徴Ａ２乃至Ａ４のうち何れか１に記載の遊技機において、
前記内歯歯車の内側を貫通して、回転駆動される１対の回転シャフト（第１回転シャフト８８ＳＡと第２回転シャフト８８ＳＢ）を有し、
前記１対の回転シャフトのうち一方の回転シャフト（図１１の例では、第１回転シャフト８８ＳＡ）には、前記駆動ギアが該一方の回転シャフトと一体回転可能に取り付けられると共に、
前記１対の回転シャフトのうち他方の回転シャフト（図１１の例では、第２回転シャフト８８ＳＢ）には、前記内歯歯車と噛合する空転ギア（空転ギア１１０）が該他方の回転シャフトに対して自由回転可能に取り付けられている遊技機。
【００８４】
本特徴に示す構成によれば、回転体を、駆動ギアと支持部材と空転ギアの３つの部材で支持することが可能となるので、回転体の支持の安定化が図られる。
【００８５】
（特徴Ａ６）
特徴Ａ５に記載の遊技機において、
前記回転体は、前記回転シャフトの軸方向に複数並べて備えられ、
前記１対の回転シャフトのうち一方の回転シャフト（図１１，１２における第１回転シャフト８８ＳＡ）には、隣り合う２つの前記回転体のうち一方の回転体（図１１に示されるブロック８５）の前記内歯歯車と噛合する前記駆動ギアが取り付けられると共に、他方の回転体（図１２に示されるブロック８５）の前記内歯歯車と噛合する前記空転ギアが取り付けられ、
前記１対の回転シャフトのうち他方の回転シャフト（図１１，１２における第２回転シャフト８８ＳＢ）には、前記一方の回転体の前記内歯歯車と噛合する前記空転ギアが取り付けられると共に、前記他方の回転体の前記内歯歯車と噛合する前記駆動ギアが取り付けられ、
前記一方の回転シャフトと前記他方の回転シャフトとが互いに逆回転する遊技機。
【００８６】
本特徴に示す構成によれば、回転シャフトの軸方向に隣り合う２つの回転体を互いに逆方向に回転させることが可能となる。
【００８７】
（特徴Ａ７）
特徴Ａ２乃至Ａ６のうち何れか１に記載の遊技機において、
前記回転体は、筒壁（角筒体８６）と、前記筒壁の両端部から内側に張り出した１対の環状端部壁（端部壁８９）と、を有し、
前記内歯歯車は、前記１対の環状端部壁のそれぞれに形成され、
前記駆動ギアと前記摺接部は、前記１対の環状端部壁に対応して１対ずつ設けられている遊技機。
【００８８】
本特徴に示す構成によれば、１対の駆動ギアによって回転体を２箇所で駆動することができるので、回転体を安定的に回転させることが可能となる。また、１対の摺接部によって回転体を２箇所で支持することができるので、回転体を安定的に支持することが可能となる。
【００８９】
（特徴Ａ８）
回転駆動される回転シャフト（回転シャフト８８Ｓ）と、
前記回転シャフトと一体に回転する駆動ギア（ギア８８）と、
前記駆動ギアと噛合する内歯歯車（内歯歯車８９Ｇ）を備えた回転体（ブロック８５）と、を有する遊技機（遊技機１０）であって、
前記回転体を支持する支持部材（支持部材１２１）を有する遊技機。
【００９０】
本特徴に示す構成によれば、回転体は支持部材により支持されるので、回転体の回転の安定化が図られる。これにより、内歯歯車に動力を伝達する駆動ギアを少なくして、回転体をスムーズに回転させることが可能となる。
【００９１】
なお、特徴Ａ８に示す構成に、特徴Ａ２〜Ａ７に示す構成が組み合わされてもよい。
【符号の説明】
【００９２】
１０    遊技機
８１    回転体
８５    ブロック
８６    角筒体
８８    ギア
８８Ｓ    回転シャフト
８９    端部壁
８９Ｇ    内歯歯車
１１０    空転ギア
１２０    支持シャフト
１２１    支持部材
１２３    張出部
【図１】
2018201975.tif 000003
【図２】
2018201975.tif 000004
【図３】
2018201975.tif 000005
【図４】
2018201975.tif 000006
【図５】
2018201975.tif 000007
【図６】
2018201975.tif 000008
【図７】
2018201975.tif 000009
【図８】
2018201975.tif 000010
【図９】
2018201975.tif 000011
【図１０】
2018201975.tif 000012
【図１１】
2018201975.tif 000013
【図１２】
2018201975.tif 000014
【図１３】
2018201975.tif 000015
【図１４】
2018201975.tif 000016
【図１５】
2018201975.tif 000017